(57)【要約】【課題】布設されるケーブルの位置、間隔及び組合せに自由度を与え、少ない部材の種類でケーブルの布設作業を効率的に行うことを可能にするケーブル布設用クリートを提供する。【解決手段】ケーブルＣを布設面Ｗに固定するためのケーブル布設用クリートは、少なくとも１のケーブルＣを支持する支持部材１と、布設面Ｗ上で支持部材１を位置調整して設置するための位置調整部材２とを備え、支持部材１は、ケーブルＣの一部を受けるケーブル受部１２を有し、ケーブル受部１２の反対側に位置調整部材２と結合する第１連結部１１を有し、位置調整部材２は、支持部材１を複数個並列に配置して各支持部材１の第１連結部１１と結合する第２連結部２１を有する。【選択図】図１
2008312274.tif 000002
【特許請求の範囲】
【請求項１】
ケーブルを布設面に固定するためのクリートであって、
少なくとも１本のケーブルを支持する支持部材と、前記布設面上で前記支持部材を位置調整して設置するための位置調整部材とを備え、
前記支持部材は、前記ケーブルの一部を受けるケーブル受部を有し、該ケーブル受部の反対側に前記位置調整部材と結合する第１連結部を有し、
前記位置調整部材は、前記支持部材を複数個並列に配置して各支持部材の第１連結部と結合する第２連結部を有することを特徴とするケーブル布設用クリート。
【請求項２】
請求項１記載のケーブル布設用クリートにおいて、
前記第１連結部は、１又は複数の凸部から成り、
前記第２連結部は、一定の間隔を隔てて配列され、前記凸部に嵌合して結合する複数の凹部から成ることを特徴とするケーブル布設用クリート。
【請求項３】
請求項２記載のケーブル布設用クリートにおいて、
前記凹部は、前記凸部が前記位置調整部材の布設面側からも結合可能な貫通孔で形成されていることを特徴とするケーブル布設用クリート。
【請求項４】
請求項１乃至３のいずれか１項記載のケーブル布設用クリートにおいて、
前記支持部材は、前記ケーブル受部の断面が前記ケーブルの断面形状を二分した形状に形成され、同形状のケーブル受部を有する一対の支持部材の間に前記ケーブルを挟んで支持することを特徴とするケーブル布設用クリート。
【請求項５】
請求項４記載のケーブル布設用クリートにおいて、
前記一対の支持部材は、両者のケーブル受部の間にケーブルを挟んで支持したときに互いに係合する係合部を有することを特徴とするケーブル布設用クリート。
【発明の詳細な説明】
【技術分野】
【０００１】
本発明は、洞道内等に布設されるケーブルを固定するために使用されるクリートに関する。
【背景技術】
【０００２】
従来、ケーブル布設用クリートとしては、図４に示すように、ケーブル貫通孔１０８，１０９を形成する底部クリート部材１０１、左側クリート部材１０２、及び右側クリート部材１０３を備え、底部クリート１０１の上面側に形成された凹部１０４の面積が、左側クリート部材１０２の下面側に形成された凹部１０５の面積、及び右側クリート部材１０３の下面側に形成された凹部１０６の面積よりも大きくなるようにしたものが知られている（特許文献１参照）。
【０００３】
かかるケーブル布設用クリートは、底部クリート１０１の凹部１０４の面積を、左側及び右側クリート１０２，１０３の凹部１０５，１０６の面積よりも大きくすることで、壁面布設の場合にケーブルの落下や位置ずれ、抜け出しを防止している。
【０００４】
また、ケーブル管を埋設する際には、複数本のケーブル管を所定の間隔を保持した状態でほぼ全長にわたって支承する部分を有する支持部材を備える技術が知られている（例えば、特許文献２参照）。
【特許文献１】特開２００５−３３８７２号公報
【特許文献２】特開平９−９３７７４号公報
【発明の開示】
【発明が解決しようとする課題】
【０００５】
しかしながら、この種のケーブル布設用クリートでは、隣り合う左右のケーブルを受ける凹部間の間隔が規定されているため、ケーブル間の間隔が大きくなるコーナー部分等には同クリートを設置することができない。このような場合には、クリートを布設現場で加工するか、間隔の異なる複数のクリートを事前に準備しておく必要があった。
【０００６】
また、左右のケーブル受部の大きさも規定されているので、径の異なる種々のケーブルを固定するためには、ケーブルの径の組合せに相当する種類のクリートを準備する必要があり、煩雑であった。
【０００７】
本発明は、布設されるケーブルの位置、間隔及び組合せに自由度を与え、少ない部材の種類でケーブルの布設作業を効率的に行うことを可能にするケーブル布設用クリートを提供することを目的とする。
【課題を解決するための手段】
【０００８】
本発明は、ケーブルを布設面に固定するためのクリートであって、少なくとも１本のケーブルを支持する支持部材と、前記布設面上で前記支持部材を位置調整して設置するための位置調整部材とを備え、前記支持部材は、前記ケーブルの一部を受けるケーブル受部を有し、該ケーブル受部の反対側に前記位置調整部材と結合する第１連結部を有し、前記位置調整部材は、前記支持部材を複数個並列に配置して各支持部材の第１連結部と結合する第２連結部を有することを特徴とする。
【０００９】
本発明のケーブル布設用クリートによれば、ケーブルを支持する支持部材が、その第１連結部を位置調整部材の第２連結部に結合させて布設面上に設置される。このとき、支持部材は位置調整部材の任意の位置に配置することができるので、布設されるケーブルの位置を自由に定めることができる。また、１つの位置調整部材に複数の支持部材を自由に配置することができるので、隣り合うケーブルの間隔を自由に設定することができる。さらに、ケーブル受部の形状が異なる複数の支持部材を１つの位置調整部材に組み合わせて用いることができるので、複数のケーブルを布設のために必要な部材の種類を軽減することもでき、布設現場での加工等も不要となる。このように、本発明のケーブル布設用クリートによれば、布設されるケーブルの位置、間隔及び組合せに自由度を与え、少ない部材の種類でケーブルの布設作業を効率的に行うことができる。
【００１０】
前記第１連結部は、１又は複数の凸部から成り、前記第２連結部は、一定の間隔を隔てて配列され、前記凸部に嵌合して結合する複数の凹部から成ることが好ましい。かかる構成により、支持部材の凸部は、位置調整部材に配列された複数の凹部の中から、ケーブルの布設位置に合わせて選択された凹部に結合することができる。これにより、布設されるケーブルの位置、間隔及び組合せに自由度を与えるように、第１連結部と第２連結部との結合機構を簡易に構成することができる。
【００１１】
また、前記凹部は、前記凸部が前記位置調整部材の布設面側からも結合可能な貫通孔で形成されていることが好ましい。これにより、位置調整部材は表面と裏面を区別することなく使用することができる。
【００１２】
前記支持部材は、前記ケーブル受部の断面が前記ケーブルの断面形状を二分した形状に形成され、同形状のケーブル受部を有する一対の支持部材の間に前記ケーブルを挟んで支持することが好ましい。これにより、布設するケーブルを一対の支持部材を用いて、例えば、上下から挟んで支持することができる。さらに、凹部が貫通孔の場合には、ケーブルを上方から支持した支持部材の上に別の位置調整部材を配置し、該位置調整部材の上にさらに別の支持部材を配置していくことで、複数のケーブルを何段にも亘って布設することができる。
【００１３】
前記一対の支持部材は、両者のケーブル受部の間にケーブルを挟んで支持したときに互いに係合する係合部を有することが好ましい。これにより、１つのケーブルを相対する２方向から挟む２つの支持部材同士を重ね合わせて保持することができ、特に、複数のケーブルを何段にも亘って布設する場合には、布設したケーブルの安定性を向上させることができる。
【発明を実施するための最良の形態】
【００１４】
図１に示すように、一実施形態のケーブル布設用クリートは、布設されるケーブルＣを支持する支持部材１と、設置面Ｗ上に支持部材１を位置調整可能に設置するための位置調整部材２とを備える。
【００１５】
支持部材１は、位置調整部材２に結合させて用いられる合成樹脂製の部材であって、位置調整部材２側に、第１連結部として複数の凸部１１を有している。各凸部１１は、一定の間隔（例えば３ｃｍ間隔）を隔てて配列されており、その形状は円柱状を成している。
【００１６】
また、支持部材１は、ケーブルＣを受けるケーブル受部１２を有し、その形状は、ケーブルＣの断面形状を二分した形状を成している。例えば、図１に示すように、ケーブルＣの断面が円形の場合には、ケーブル受部１２の形状は、ケーブルＣの半径に応じた半円形の形状を成している。
【００１７】
位置調整部材２は、布設面Ｗ上に設置される合成樹脂製の板体であって、第２連結部として複数の凹部２１を有している。各凹部２１は、凸部１１が嵌合可能な貫通孔であって、凸部１１の配列と同じ一定の間隔（例えば３ｃｍ間隔）を隔てて設けられている。位置調整部材２は、凹部２１が貫通孔であるため、表面と裏面を区別することなく両側から凸部１１を結合することができ、その厚さは、凸部１１が同時に結合可能となるよう、凸部１１の突出幅の２倍よりも大きくなっている。
【００１８】
また、位置調整部材２は、その上に配列する支持部材１の大きさや個数に対応できるように種々の大きさのものを用意してもよいが、各凹部１１の間を縦横に走る破断部を設け、ケーブルの布設現場で所望の大きさに加工できるように構成してもよい。
【００１９】
次に、本実施形態のケーブル布設用クリートの使用方法について説明する。
【００２０】
図２に示すように、ケーブルＣの布設作業を行う作業者は、まず、ケーブルＣを布設する布設面Ｗに位置調整部材２を設置する。位置調整部材２は、布設するケーブルＣのサイズや本数、布設する位置等に合わせて、適切な大きさの位置調整部材２を選択して用いる。尚、位置調整部材２に予め破断部が設けてある場合には、大判の位置調整部材２を布設現場で適当な大きさに破断して用いる。また、位置調整部材２の設置は、布設面が床面等の水平面である場合には直置きするだけでもよいが、傾斜面や壁面等に設置する場合には位置調整部材２を図示しないネジやボルト等で設置面に固着する。
【００２１】
次に、作業者は布設するケーブルＣの形状に合った支持部材１を選択する。このとき、布設するケーブルＣが複数ある場合には、それぞれのケーブルＣの形状に合った支持部材１を選択する。ケーブルＣに合った支持部材１であるか否かは、ケーブルＣに支持部材１のケーブル受部２２を当接させた際に、ケーブル受部２２がケーブルＣを保持して脱落することがないかによって確認できる。
【００２２】
例えば、図２に示す場合には、大径のケーブルＣ１，Ｃ３に対しては、それぞれの形状に合ったケーブル受部１２を有する支持部材１ａ，１ｃが選択され、小径のケーブルＣ２に対しては、その形状にあったケーブル受部２２を有する支持部材１ｂが選択される。
【００２３】
次いで、作業者は、ケーブルＣに合わせて選択した支持部材１を、位置調整部材２の適当な位置に配置する。支持部材１を配置する位置は、ケーブルＣの布設スペースや、ケーブルＣの系統等を考慮して決定される。例えば、図２に示す場合には、ケーブルＣ１及びケーブルＣ２は関連する系統であるため、隣り合わせて配置されているが、ケーブルＣ３は別系統でるため、他のケーブルＣ１，Ｃ２から離して配置されている。また、これらのケーブルＣ１〜Ｃ３がコーナー部に差し掛かったときには、ケーブルＣ１〜Ｃ３の布設間隔が大きくなるように調整板２上に配置される。
【００２４】
そして、作業者は、その配置位置で、支持部材１を位置調整部材２側に押し付けて、支持部材１の凸部１１を位置調整部材２の凹部２１に結合させる。このとき、凹部２１は、一定間隔を隔てて縦横に配列されているため、支持部材１を調整板状の何処に配置しても、凸部１１を凹部２１に結合させることができる。
【００２５】
次に、位置調整部材２上に各支持部材１が配置され結合すると、作業者は、各支持部材１のケーブル受部１２に布設するケーブルをそれぞれ当接させて保持させる。このようにケーブルＣを支持部材１と位置調整部材２を用いて布設することにより、ケーブルＣが熱膨張等によって軸方向に伸縮した場合にも、ケーブルＣが布設面と擦れ合ってケーブルＣが摩耗することを防止することができる。
【００２６】
さらに、複数のケーブルを２段以上に亘って布設する場合には、布設したケーブルＣの上に支持部材１を上方より当接させ、その上に別の位置調整部材２を設置する。この位置調整部材２を２段目の位置調整部材として、その上に別の支持部材１を２段目の支持部材として配置することで、そのケーブル受部に２段目のケーブルを布設することができる。以下、これを繰り返すことによって、支持部材１と位置調整部材２を用いて、複数のケーブルを何段にも亘って布設することができる。
【００２７】
例えば、図２に示す場合には、布設したケーブルＣ１〜Ｃ３の上に、それぞれのケーブルに合った支持部材１ａ〜１ｃを上方からも当接させて保持させる。そして、これらの支持部材１ａ〜１ｃの上に別の位置調整部材２を設置する。このとき、位置調整部材２をこれらの支持部材１ａ〜１ｃに押し付けて、位置調整部材２の下面側の凹部２１に支持部材１ａ〜１ｃの凸部を結合させる。次に、上述の１段目の場合と同様、２段目に配置するケーブル（図示略）に合わせて支持部材１ａ，１ｂを選択して、選択した支持部材１ａ，１ｂを位置調整部材２上に配置する。その配置された支持部材１ａ，１ｂの上に当該ケーブルを布設することで、２段目にもケーブルを布設することが可能となる。
【００２８】
このように、本実施形態のケーブル布設用クリートによれば、位置調整部材２上の任意の位置に、ケーブルＣを支持する支持部材１を配置することができ、複数のケーブルＣを布設する場合には、その間隔を自由に調整することができる。さらに、ケーブルＣを支持する支持部材１は、そのケーブル受部１２がケーブルＣに合ったものを選択すれば、他の支持部材１と組合せて位置調整部材２上に自由に配置できる。
【００２９】
尚、図３に示すように、本実施形態の変形例として、ケーブルＣを上下方向から支持する一対の支持部材１に係合部１３を設けてもよい。係合部１３は、支持部材１のケーブル受部１２側一端部に設けられた係合凸部１３ａと、他端部側に設けられた係合凹部１３ｂにより構成され、上下方向からケーブルＣを支持した際に、各支持部材１の係合凸部１３ａが係合凹部１３ｂに係合して保持される。これにより、布設するケーブルＣを上下方向から、より安定的に支持することができる。ここで、係合部１３は、凹凸部の係合による構成を示したが、これに限定されるものではなく、例えば、凹凸部を設ける代わりに、爪部等を設けて一対の支持部材１を係合させて保持させるようにしてもよい。
【００３０】
また、本実施形態において、図示の例で、第１連結部は凹部１１によって構成され、第２連結部は凸部２１によって構成されていたが、これに限定されるものではなく、第１連結部が凸部によって構成され、第２連結部が凹部によって構成されてもよい。また、第１及び第２連結部は、凹凸部に限らず、面ファスナーや係合部等によって結合されるようにしてもよい。
【００３１】
さらに、本実施形態において、ケーブルＣには、電線や光ファイバー被覆体等のほか、前記特許文献２に示されたケーブル管のようなパイプ状のものなど、任意の長尺物が含まれる。
【図面の簡単な説明】
【００３２】
【図１】本実施形態のケーブル布設用クリートの斜視図。
【図２】本実施形態のケーブル布設用クリートの使用状態を示す図。
【図３】本実施形態のケーブル布設用クリートの変形例を示す図。
【図４】従来のケーブル布設用クリートを示す図。
【符号の説明】
【００３３】
１…支持部材、２…位置調整部材２１…凸部（第１連結部）、１２…ケーブル受部、２１…凹部（第２連結部）、１３…係合部、ケーブル…Ｃ、布設面…Ｗ。
【図１】
2008312274.tif 000003
【図２】
2008312274.tif 000004
【図３】
2008312274.tif 000005
【図４】
2008312274.tif 000006